(57)【要約】      （修正有）【課題】本立てに本をさすか、またはかばんに入れて持ち運ぶ時本の角が損傷されることを防止するために本に設置して使用する本の角保護具を提供する。【解決手段】その構成は、撓いながら本１の三面を囲むように可撓性素材でなされている帯形態のバンド（ｂａｎｄ）１０と、バンド１０が本１の角部分の一側面を囲んだ状態で固定されるようにするバンド固定手段と、バンド１０の上端または下端にバンド１０と直角をなすように設置されるものとして、バンド１０が本１の角部分側面を囲んだ状態で本１の角部分底面を差すようにする支え板２０と、を含むことを特徴とする。【選択図】図５
2018058363.tif 000002
【特許請求の範囲】
【請求項１】
撓いながら本の三面を囲むように可撓性素材でなされている帯形態のバンド（ｂａｎｄ）と、
前記バンドが前記本の角部分の一側面を囲んだ状態で固定されるようにするバンド固定手段と、
前記バンドの上端または下端に前記バンドと直角をなすように設置されるものとして、前記バンドが本の角部分側面を囲んだ状態で前記本の角部分底面を差すようにする支え板と、
を含むことを特徴とする本の角保護具。
【請求項２】
前記バンド固定手段は、一端は前記バンドの左側に連結され、他端は前記バンドの右側に連結されるゴム紐であることを特徴とする請求項１に記載の本の角保護具。
【請求項３】
前記支え板は前記バンドと一体で形成されるが、短い長さの単位支え板が前記バンドの長さ方向に沿って連続設置されて構成されることで、
前記バンドが湾曲された時に前記単位支え板がお互いに重なることで、前記支え板が前記バンドに対して直角をなすようになっていることを特徴とする請求項１に記載の本の角保護具。
【請求項４】
しおり手段をさらに含むものとして、前記しおり手段は、
前記バンドの中間にその長さ方向に沿って長く穴あけされるスロットと、
前記スロットに挟まれて前記スロットに沿って移動されながら本の紙面の間に介されるものとして、前記スロットに挟まれるように括れているネック部位（ｎｅｃｋ  ｐｏｒｔｉｏｎ）を有するしおりと、
を含むことを特徴とする請求項１に記載の本の角保護具。
【発明の詳細な説明】
【技術分野】
【０００１】
本発明は、本の角保護具に関するものであり、より詳細には、本立てに本をさすか、またはかばんに入れて持ち運ぶ時に本の角が損傷されることを防止するために本に設置して使用する本の角保護具に関するものである。
【背景技術】
【０００２】
本は角部分が容易に擦れるようになっている。本立てにさす過程で角部分が一番多くぶつかって、かばんに入れて持ち運ぶ時にかばんと頻繁な摩擦を起こす部分も角になるためである。
【０００３】
教科書のような使用頻度の高い本は、その角部分がさらに容易に擦れるようになる。以前は本を カレンダーのような厚い紙で包んでテープで固定することで、本が損傷されることを防止したが、物資が豊かな近来にはこのような風景を見ることは稀である。紙の品質が良くなって本全体を紙で囲んで保護する必要まではないかも知れない。しかし、頻繁な使用によって本の角部分が損傷されることは避け難い。本の角に接着テープを付けて角を保護する方法も使われるが新本に接着テープを付けやすくはなく、美観的にも望ましくない。
【０００４】
従来の大韓民国特許出願第１０−２０１２−００９２０８２号のように本の角に設置する保護具が提案されたことがあるが、これは本の尖ったような角に乳児がけがをすることを防止するためのものであり、本自体を保護するためのものではなく、本発明の趣旨と異なる。
【先行技術文献】
【特許文献】
【０００５】
【特許文献１】韓国登録実用新案第２０−２００５−００２２８６１号公報
【特許文献２】韓国特許第１０−２０１２−００９２０８２号公報
【発明の概要】
【発明が解決しようとする課題】
【０００６】
本発明の目的は、使用頻度が高い本を本立てにさすか、または、抜き取る過程で、ひいてはその本をかばんに入れて持ち運ぶ時にかばんに擦れて本の角が損傷されることを防止するための本の角保護具を提供することにある。より具体的には、簡便に使用することができ、本の美観を損傷させず、しおりのように安い費用でどこででも容易に求めて使用することができる簡易な構成の本の角保護具を提供することに本発明の目的がある。
【課題を解決するための手段】
【０００７】
上のような目的は、撓いながら本の三面を囲むことができるように可撓性素材でなされている帯形態のバンド（ｂａｎｄ）と、前記バンドが前記本の角部分の一側面を囲んだ状態で固定されるようにするバンド固定手段と、前記バンドの上端または下端に前記バンドと直角をなすように設置されるものとして、前記バンドが本の角部分側面を囲んだ状態で前記本の角部分底面を差すようにする支え板と、を含むことを特徴とする本の角保護具によって達成される。
【０００８】
前記バンド固定手段は、一端は前記バンドの左側に連結され、他端は前記バンドの右側に連結されるゴム紐であることができる。
【０００９】
本発明の他の特徴によれば、前記支え板は前記バンドと一体で形成されるが、短い長さの単位支え板が前記バンドの長さ方向に沿って連続設置されて構成されることで、前記バンドが湾曲された時に前記単位支え板がお互いに重なることで前記支え板が前記バンドに対して直角をなすようになっている。
【００１０】
本発明のまた他の特徴によれば、しおり手段をさらに含むものとして、前記しおり手段は、前記バンドの中間にその長さ方向に沿って長く穴あけされるスロットと、前記スロットに挟まれて前記スロットに沿って移動されながら本の紙面の間に介されるものとして前記スロットに挟まれるように括れているネック部位（ｎｅｃｋ  ｐｏｒｔｉｏｎ）を有するしおりと、を含むことができる。
【発明の効果】
【００１１】
上のような構成によれば、本を本立てにさすか、または抜き取る過程及び本をかばんに入れて持ち運ぶ時、かばんに擦れて本の角が損傷されることを防止することができる本の角保護具が提供される。本発明の本の角保護具は構成が単純で大きい費用が必要とならなくて簡便に使用することができるし、本の美観を損傷させない長所を有する。
【図面の簡単な説明】
【００１２】
【図１】本発明が適用される本の斜視図である。
【図２】本発明の第１実施例による本の角保護具の斜視図である。
【図３】本発明の第１実施例による本の角保護具の開かれた状態の斜視図である。
【図４】本発明の第１実施例による本の角保護具の平面図である。
【図５】本発明の第１実施例による本の角保護具の使用状態図である。
【図６】本発明の第２実施例による本の角保護具の斜視図である。
【図７】本発明の第２実施例による本の角保護具の平面図である。
【図８】本発明の第３実施例による本の角保護具の斜視図である。
【図９】本発明の第３実施例による本の角保護具の平面図である。
【図１０】本発明の第４実施例による本の角保護具のバンド固定手段長さ調節部の使用状態図である。
【図１１】本発明の第５実施例による本の角保護具のバンド内側溝の使用状態図である。
【発明を実施するための形態】
【００１３】
以下、明細書に添付された図面を参照して本発明の実施例を詳細に説明する。先ず、図１−５を参照して本発明の第１実施例を説明する。
【００１４】
本発明の本の角保護具はバンド（ｂａｎｄ）１０、バンド固定手段及び支え板２０を含む。
【００１５】
帯形態でなされたバンド１０は、撓いながら本１の三面、すなわち前後表面２及び内紙３を囲むように可撓性素材でなされている。バンド（ｂａｎｄ）１０は、厚さ０．５〜１．０ｍｍ程度の薄い合成樹脂素材でなされている。例えば、ＰＥが適当であるが、これに限定されるものではなくて、皮、紙類または織物などの素材が使われることもできる。バンド１０は横で長たらしい帯形態として、たとえは、横が１００〜１５０ｍｍ、縦が１０〜３０ｍｍになることができる。
【００１６】
バンド固定手段はバンド１０が本の角部位４の一側面を囲んだ状態で固定されるようにするものである。バンド固定手段は、一端はバンド１０の左側に連結され、他端はバンド１０の右側に連結されるゴム紐３０、すなわち、弾性紐部材になることができる。それで、図５に示されたようにバンドが本の角の一側面に支持された状態でゴム紐３０をぴんと引っ張って本の下端部反対側にかけておくことでバンド１０が本の角の下端部側面を囲んだ状態で固定されるものである。バンドの縁１１は表面２に接するようになって、バンドの中間部分１２は本内紙３と向い合うようになるであろう。
【００１７】
ゴム紐とバンドの連結方法は、多様に案出されることができる。基本的にバンドの両側縁にゴム紐をかけるための掛け孔１３が設けられることができる。延いては、図６に示されたように使用者が必要な時に挟むか、または抜き取るようにする連結方式が採用されることもできる。図６に示されたところによれば、ゴム紐３０端にリング形状の掛けがね３１が形成され、バンド１０の縁１１にはスリット１４を通じて外部でゴム紐３０を挟んでかけることができるようになされた掛け孔１３が穴あけで形成されることができる。
【００１８】
一方、バンド１０は本の角部位４の側面のみを保護するだけである。それで、本の角部位の底面を保護する必要があり、このために支え板２０が提供される。
【００１９】
支え板２０はバンド１０の上端または下端にバンド１０と直角をなすように設置されるものとして、バンド１０が本の角部分４の側面を囲んだ状態で本の角部位４底面を差すようにするものである。
【００２０】
本発明の実施例によれば、支え板２０はバンド１０と一体で形成されるが、短い長さの単位支え板２１、２２、２３がバンド３０の長さ方向に沿って連続設置されて構成される。支え板２０は図１、２、３に示されたところのようにバンド１０といつも直角をなすように成形されたものであることがあるが、その状態になるように易しく折ることができる方式で提供されることもできる。すなわち、普段にはバンド１０と同一平面をなすように開かれた状態でいながら、必要な時に図３の矢印で表示されたもののように折って使用できるようにすることもできるものである。
【００２１】
支え板２０が一つの胴体でなされていたら、湾曲されたバンド１０と直角をなすことができないので、支え板２０は連続設置された単位支え板２１、２２、２３で構成されるものである。単位支え板２１、２２、２３の幅と個数は必要によって決まることができる。図示されたところによれば、３個の単位支え板２１、２２、２３で構成される。
【００２２】
バンド１０が湾曲された時に単位支え板２１、２２、２３がお互いに重なるようになる。バンド１０の湾曲程度によって重なる部位が広くなるようになるであろう。このようにバンド１０と支え板２０が本の角部位を囲んで保護することができるようになるものである。本１の厚さによってバンドの湾曲位が変わるはずであるので、一般的な本には本発明の保護具がすべて適用されることができる。
【００２３】
使用者は持ち運ぶ本何冊にそれぞれ本発明の保護具を設置することで、本人所有の本をいつもきれいに保護することができるし、本立てで頻繁に抜き出すか入れるようになる本に本発明の本の角保護具を適用することで、長年の期間に本をきれいに保管することができるようになる。
【００２４】
本発明の本の角保護具は図示されたところによれば、本の下端部一側に設置されているが、設置方法は使用者の必要によって多様に使われることができる。下端部角両方にすべて設置することもできる。図示しなかったがバンド１０がゴム紐３０を間に置いて対称で設置されて本の角の下端部両側を同時に囲んで保護するようにすることもできる。
【００２５】
以下、図６−９を参照して本発明の他の実施例を説明する。これら実施例はしおり手段がさらに含まれた実施例である。図６−９に示されたところによれば、本の角保護及びしおりの機能を同時に有する本の角保護具が提供される。
【００２６】
先ず、図６、７を参照して第２実施例を説明する。
【００２７】
第２実施例によれば、バンド１０の一面の一側縁１１にしおり４０の一端４１が接着で固定される。しおり４０は薄くて容易に湾曲されることができる素材としてバンド１０のような素材が使われることができる。これによれば、しおりの他端４２は本内紙３のうちで任意の位置に挟まれることができるし、この状態でバンド１０が本の角部位４に固定設置されることができる。
【００２８】
以下、図８、９を参照して第３実施例を説明する。
【００２９】
本実施例によるしおり手段は、バンドの中間１２にその長さ方向に沿って長く穴あけされるスロット（ｓｌｏｔ）１５と、このスロット１５に挟まれてそれに沿って矢印（Ｋ）方向に移動されながら本の内紙３の間に介されるしおり４０‘を含む。しおり４０‘はしおり本体４３と、スロット１５に挟まれるように括れているネック部位（ｎｅｃｋ  ｐｏｒｔｉｏｎ）４５を有する。外部に突き出されるようになる部分４４は取っ手としての役割ができる。
【００３０】
図１０はバンド固定手段として使われる紐部材３２の長さ調節部３３の使用状態図である。図２のバンド固定手段は、バンド１０が本の角部位４の一側面を囲んだ状態で固定されるようにすることで、具体的なバンド固定手段で弾性を有したゴム紐３０が掲示されているが本発明のバンド固定手段では紐部材３２が使用されることができる。紐部材３２は弾性を有することもでき、持たないこともできる。バンド固定手段として紐部材３２の長さを調節することができる長さ調節部３３が使用されることができる。長さ調節部３３の操作によって本の大きさに合わせて紐部材３２の長さを自由に調節することができる。
【００３１】
図１１は、バンド１０の内面に形成されているバンド内側溝１６の使用状態図である。バンド１０が本の角部位４に接触して畳まれる時、その曲げが容易になるようにバンド内側にバンド内側溝１６を形成することができる。バンド内側溝１６によって本の角部位４にバンド１０を密着させることでバンド１０が本の角部位から離脱しないようにできる。
【００３２】
また、本発明の本の角保護具のバンド１０が本を囲む時に容易に曲がるようにして単位支え板２１、２２、２３がお互いに重なることを防止するために図１１に示すように単位支え板の一部を切り捨てることもできる。
【００３３】
以上で説明されたものなどは、本発明の技術的思想に基づいたいくつかの例示に過ぎない。当業者は請求範囲を通じて表現される本発明の技術的思想の範囲を越さない線で例示されたところを活用して多様な変形実施ができるであろう。例えば、上に説明されたすべての実施例らは当業者によって自由に組合されて実施されることができるし、どのような組合でも本発明の権利範囲に含まれると解釈されなければならない。
【符号の説明】
【００３４】
１  本
２  表面
３  内紙
４  角部位
１０  バンド
２０  支え板
３０  ゴム紐
４０、４０‘  しおり
【図１】
2018058363.tif 000003
【図２】
2018058363.tif 000004
【図３】
2018058363.tif 000005
【図４】
2018058363.tif 000006
【図５】
2018058363.tif 000007
【図６】
2018058363.tif 000008
【図７】
2018058363.tif 000009
【図８】
2018058363.tif 000010
【図９】
2018058363.tif 000011
【図１０】
2018058363.tif 000012
【図１１】
2018058363.tif 000013